(57)【要約】【課題】軸長の長い全ネジボルトに沿ってナットを手で送るのは、繰り返しの多いときの作業にはきわめて効率が悪く、手間暇がかかりすぎてしまう。本発明はナットを所定の位置に効率よく、かつ迅速に送る工具を提供する。【解決手段】前記目的を達成するため、充電ドリルに直接取り付ける事が出来る六角の受け部を持った軸棒（１）に回転力を直接伝えるための円錐台のゴム塊（２）を備え付けたものである。ナットのサイズを問わずに使用できるなど構造の簡素化による利点がある。【選択図】図２
2012011527.tif 000002
【特許請求の範囲】
【請求項１】
充電ドリル等に直接取り付ける為の六角の受け部を持った軸棒に円錐台のゴム塊を備え付けた事を特徴とする。
【発明の詳細な説明】
【技術分野】
【０００１】
。
本発明は、軸長の長い全ネジボルトに、ナットを所定の位置に効率よく、かつ迅速に送る工具を提供する
【背景技術】
【０００２】
軸長の長い全ネジボルトの場合には、所定締め付け箇所までは、自ら手でナットを回して送っていた。
【先行技術文献】
【特許文献】
【０００３】
【特許文献１】特開平11-333744
【発明の概要】
【発明が解決しようとする課題】
【０００４】
しかし、長い全ネジボルトに沿ってナットを手で送るのは、繰り返しの多いときの作業にはきわめて効率が悪く、手間暇がかかりすぎてしまう。本発明は、これらの問題点を解決するためになされたものである。
【課題を解決するための手段】
【０００５】
充電ドリルに直接取り付ける事が出来る六角の受け部を持った軸棒（１）に回転力を直接伝えるための円錐台のゴム塊（２）を備え付けたものである。ゴム魂取り付け部分の軸棒にはゴム魂のズレを防ぐ為とグリップ力を高めるため六角面（５）を付けておく。
【発明の効果】
【０００６】
本発明に係る工具は、充電ドリルに直接取り付け、ドリルの回転力を直にナットに伝える事で、効率よくナット送りを行う。
【図面の簡単な説明】
【０００７】
【図１】工具本体斜視図
【図２】全ネジボルトと工具との使用状態正面図
【図３】正面図の全ネジボルトと工具との使用状態を上部より見る
【図４】全ネジボルト対しに工具を後ろで使用時状態図
【図５】工具を後ろに使用時状態を上部より見る
【図６】工具本体透斜視図
【発明を実施するための形態】
【０００８】
以下、本発明の実施の形態を図面に基づき説明する。
全ネジボルトの正面に軸棒（１）を交差させるようにしてあてがい、円錐台のゴム魂（２）をナットの上部角に接するようにする。交差の角度は軸棒で調整する事でナットサイズは問わない。ドリルの回転方向は、全ネジボルトに対して内回転（巻き込む）（図２．図３）にすることで工具の逃げを防ぎ（外回転にすると工具がナットを乗り越え全ネジボルトから外れてしまう）ナットの移動に合わせて工具も全ネジボルトにあてがいながら移動させる。工具を全ネジボルトの正面に交差させた時は下がる方向にナットは移動し、後ろ面の時ナットは上がる方向に移動する。
【符号の説明】
【０００９】
１    六角の受け部を持った軸棒
２    円錐台ゴム塊
３    ナット
４    全ネジボルト
５    六角面を付けたゴム魂取り付け部分
【図１】
2012011527.tif 000003
【図２】
2012011527.tif 000004
【図３】
2012011527.tif 000005
【図４】
2012011527.tif 000006
【図５】
2012011527.tif 000007
【図６】
2012011527.tif 000008
【手続補正書】
【提出日】平成22年7月8日(2010.7.8)
【手続補正１】
【補正対象書類名】図面
【補正対象項目名】全図
【補正方法】変更
【補正の内容】
【図１】
2012011527.tif 000009
【図２】
2012011527.tif 000010
【図３】
2012011527.tif 000011
【図４】
2012011527.tif 000012
【図５】
2012011527.tif 000013
【図６】
2012011527.tif 000014
【手続補正書】
【提出日】平成22年9月26日(2010.9.26)
【手続補正１】
【補正対象書類名】特許請求の範囲
【補正対象項目名】全文
【補正方法】変更
【補正の内容】
【特許請求の範囲】
【請求項１】
充電ドリル等に直接取り付ける為の六角の受け部を持った軸棒に円錐台のゴム塊を備え付けたことを特徴とする。
【請求項２】
全ネジボルトに交差させて工具の支点として使用する為の長さをゴム塊の先端上に持たせたことを特徴とする軸棒。
【手続補正２】
【補正対象書類名】明細書
【補正対象項目名】全文
【補正方法】変更
【補正の内容】
【発明の詳細な説明】
【技術分野】
【０００１】  本発明は、軸長の長い全ネジボルトに、ナットを所定の位置に効率よく、かつ迅速に送る工具を提供する。
【背景技術】
【０００２】  軸長の長い全ネジボルトの場合には、所定締め付け箇所までは、自らの手でナットを回して送っていた。
【先行技術文献】
【特許文献】
【０００３】
【特許文献１】特開平11-333744
【発明の概要】
【発明が解決しようとする課題】
【０００４】  しかし、長い全ネジボルトに沿ってナットを手で送るのは、繰り返しの多いときの作業にはきわめて効率が悪く手間暇がかかりすぎてしまう。本発明は、これらの問題点を解決するためになされたものである。
【課題を解決するための手段】
【０００５】  充電ドリルに直接取り付ける事ができる六角の受け部を持った軸棒（１）に回転力を直接伝えるための円錐台のゴム塊（２）を備え付けたものである。ゴム塊取り付け部分の軸棒にはゴム塊のズレを防ぐためとグリップ力を高めるための六角面（５）を付けておく。【０００６】  軸棒は、ゴム塊より突き出して（６）おき、作業時は全ネジボルトへ突き出された軸棒部分（６）をナットより上部（下部）の全ネジボルト部分で交差させ、接触部分を支点としてゴム塊をナットの上部（下部）角にあてがい全ネジボルトに対して内回転（巻き込む）を与えることで、工具は常に全ネジボルトに接触し続け安定した使用ができる。
【発明の効果】
【０００７】本発明に係る工具は、充電ドリルに直接取り付け、ドリルの回転力を直接ナットに伝える事で効率よくナット送りを行う。
【図面の簡単な説明】
【０００８】
【図１】工具本体斜視図
【図２】全ネジボルトと工具との使用状態正面図
【図３】正面図の全ネジボルトと工具との使用状態を上部よりみる
【図４】全ネジボルトに対して工具を後ろで使用時状態図
【図５】工具を後ろに使用時状態を上部より見る
【図６】工具本体透視斜視図
【発明を実施するための形態】
【０００９】  以下、本発明の実施の形態を図面に基づき説明する。全ネジボルトの正面に軸棒（６）をナットより上部（下部）の全ネジボルトに交差させるようにあてがい、工具の支点とさせる。円錐台のゴム塊（２）をナットの上部（下部）角に接するように置き、ドリルの回転方向は全ネジボルトに対して内回転（巻き込む）（図２、図３）にする事で、軸棒は常に全ネジボルトに接触し続け工具の逃げを防ぎ安定した使用ができる。（逆に外回転にした場合はゴム塊がナットを乗り越えて、工具そのものが全ネジボルトから外れてしまう。）  ナットのサイズを問わずナットの移動に合わせて工具も全ネジボルトにあてがいながら移動させる。工具を全ネジボルトの正面（図２）に交差させた時、ナットは下がる方向に移動し、後ろ面(図４)に交差させた時、ナットは上に移動する。
【符号の説明】
【００１０】  １    六画の受け部を持った軸棒  ２    円錐台のゴム塊  ３    ナット  ４    全ネジボルト  ５    六角面を付けたゴム塊取り付け部分  ６    全ネジボルトに交差させ、支点を得る部分
【手続補正３】
【補正対象書類名】図面
【補正対象項目名】図１
【補正方法】変更
【補正の内容】
【図１】
2012011527.tif 000015